【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
ＩＰ網を利用してファクシミリ通信を行う第１の通信手段と、
公衆電話網を利用してアナログ方式でファクシミリ通信を行う第２の通信手段と、
通信先の電話番号を受け付ける受付手段と、
前記受付手段によって受け付けられた電話番号に基づいて前記第１の通信手段によるファクシミリ通信が行われて通信エラーが検出された場合に、前記第２の通信手段に前記電話番号でファクシミリ通信を行わせる制御手段と、
を有する通信端末装置。
【請求項２】
前記制御手段は、前記第１の通信手段によるファクシミリ通信が行われる前に、前記受付手段によって受け付けられた電話番号にドメインを付加したアドレスを、前記第１の通信手段の通信先に関する通信先アドレスとして生成することを特徴とする請求項１に記載の通信端末装置。
【請求項３】
前記受付手段は、前記電話番号にドメインを付加したアドレスを通信先アドレスとして受け付け、
前記制御手段は、前記受付手段によって受け付けられた通信先アドレスに基づいて前記第１の通信手段によるファクシミリ通信が行われて通信エラーが検出された場合に、前記第２の通信手段によるファクシミリ通信を回避することを特徴とする請求項１に記載の通信端末装置。
【請求項４】
前記制御手段は、前記第２の通信手段にファクシミリ通信を行わせた後に再送信の指示を受け付けた場合、前記第１の通信手段にファクシミリ通信を行わせた際に使用された電話番号で、前記第２の通信手段に再送信を行わせることを特徴とする請求項１に記載の通信端末装置。
【請求項５】
コンピュータを、
ＩＰ網を利用してファクシミリ通信を行う第１の通信手段、
公衆電話網を利用してアナログ方式でファクシミリ通信を行う第２の通信手段、
通信先の電話番号を受け付ける受付手段、
前記受付手段によって受け付けられた電話番号に基づいて前記第１の通信手段によるファクシミリ通信が行われて通信エラーが検出された場合に、前記第２の通信手段に前記電話番号でファクシミリ通信を行わせる制御手段、
として機能させるためのプログラム。
【手続補正２】
【補正対象書類名】明細書
【補正対象項目名】０００４
【補正方法】変更
【補正の内容】
【０００４】
本発明は、受付手段によって受け付けられた電話番号に基づいてＩＰ網を利用したファクシミリ通信が行われて通信エラーが検出された場合に、公衆電話網を利用したアナログ方式のファクシミリ通信をその電話番号で行う通信端末装置及びプログラムを提供することを目的とする。
【手続補正３】
【補正対象書類名】明細書
【補正対象項目名】０００５
【補正方法】変更
【補正の内容】
【０００５】
かかる目的を達成するために請求項１記載の発明は、ＩＰ網を利用してファクシミリ通信を行う第１の通信手段と、公衆電話網を利用してアナログ方式でファクシミリ通信を行う第２の通信手段と、通信先の電話番号を受け付ける受付手段と、前記受付手段によって受け付けられた電話番号に基づいて前記第１の通信手段によるファクシミリ通信が行われて通信エラーが検出された場合に、前記第２の通信手段に前記電話番号でファクシミリ通信を行わせる制御手段と、を有する。
【手続補正４】
【補正対象書類名】明細書
【補正対象項目名】０００６
【補正方法】変更
【補正の内容】
【０００６】
請求項２記載の発明は、請求項１記載の発明において、前記制御手段は、前記第１の通信手段によるファクシミリ通信が行われる前に、前記受付手段によって受け付けられた電話番号にドメインを付加したアドレスを、前記第１の通信手段の通信先に関する通信先アドレスとして生成することを特徴とする。
【手続補正５】
【補正対象書類名】明細書
【補正対象項目名】０００７
【補正方法】変更
【補正の内容】
【０００７】
請求項３記載の発明は、請求項１に記載の発明において、前記受付手段は、前記電話番号にドメインを付加したアドレスを通信先アドレスとして受け付け、前記制御手段は、前記受付手段によって受け付けられた通信先アドレスに基づいて前記第１の通信手段によるファクシミリ通信が行われて通信エラーが検出された場合に、前記第２の通信手段によるファクシミリ通信を回避することを特徴とする。
【手続補正６】
【補正対象書類名】明細書
【補正対象項目名】０００８
【補正方法】変更
【補正の内容】
【０００８】
請求項４記載の発明は、請求項１に記載の発明において、前記制御手段は、前記第２の通信手段にファクシミリ通信を行わせた後に再送信の指示を受け付けた場合、前記第１の通信手段にファクシミリ通信を行わせた際に使用された電話番号で、前記第２の通信手段に再送信を行わせることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項５記載の発明は、コンピュータを、ＩＰ網を利用してファクシミリ通信を行う第１の通信手段、公衆電話網を利用してアナログ方式でファクシミリ通信を行う第２の通信手段、通信先の電話番号を受け付ける受付手段、前記受付手段によって受け付けられた電話番号に基づいて前記第１の通信手段によるファクシミリ通信が行われて通信エラーが検出された場合に、前記第２の通信手段に前記電話番号でファクシミリ通信を行わせる制御手段、として機能させる。
【手続補正１１】
【補正対象書類名】明細書
【補正対象項目名】００１３
【補正方法】変更
【補正の内容】
【００１３】
請求項１記載の発明によれば、受付手段によって受け付けられた電話番号に基づいてＩＰ網を利用したファクシミリ通信が行われて通信エラーが検出された場合に、公衆電話網を利用したアナログ方式のファクシミリ通信をその電話番号で行う通信端末装置の提供が可能となる。
【手続補正１２】
【補正対象書類名】明細書
【補正対象項目名】００１４
【補正方法】変更
【補正の内容】
【００１４】
請求項２記載の発明によれば、受付手段によって受け付けられた電話番号にドメインを付加したアドレスを、ＩＰ網を利用したファクシミリ通信の通信先に関する通信先アドレスとして生成することを特徴とする通信端末装置の提供が可能となる。
【手続補正１３】
【補正対象書類名】明細書
【補正対象項目名】００１５
【補正方法】変更
【補正の内容】
【００１５】
請求項３記載の発明によれば、受付手段は、電話番号にドメインを付加したアドレスを通信先アドレスとして受け付け、制御手段は、受付手段によって受け付けられた通信先アドレスに基づいてＩＰ網を利用したファクシミリ通信が行われて通信エラーが検出された場合に、公衆電話網を利用したアナログ方式のファクシミリ通信を回避する通信端末装置の提供が可能となる。
【手続補正１４】
【補正対象書類名】明細書
【補正対象項目名】００１６
【補正方法】変更
【補正の内容】
【００１６】
請求項４記載の発明によれば、制御手段は、公衆電話網を利用したアナログ方式のファクシミリ通信を行わせた後に再送信の指示を受け付けた場合、ＩＰ網を利用したファクシミリ通信を行わせた際に使用された電話番号で、再送信を行わせる通信端末装置の提供が可能となる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】変更
【補正の内容】
【００２０】
請求項５記載の発明によれば、受付手段によって受け付けられた電話番号に基づいてＩＰ網を利用したファクシミリ通信が行われて通信エラーが検出された場合に、公衆電話網を利用したアナログ方式のファクシミリ通信をその電話番号で行うプログラムの提供が可能となる。
【手続補正１９】
【補正対象書類名】明細書
【補正対象項目名】００４５
【補正方法】変更
【補正の内容】
【００４５】
従って、この第４の処理手順では、操作部５１で入力を受け付けた電話番号が、再発呼を許可する電話番号であった場合に、公衆電話網によるアナログＦＡＸ送信が行われる。
【手続補正２０】
【補正対象書類名】明細書
【補正対象項目名】００４８
【補正方法】変更
【補正の内容】
【００４８】
従って、第５の処理手順では、ＩＰ−ＦＡＸ送信に失敗し、公衆電話網によるアナログＦＡＸ送信に失敗した場合に、設定に従って、再度、公衆電話網によるアナログＦＡＸ送信を行う。
【手続補正２１】
【補正対象書類名】明細書
【補正対象項目名】００５０
【補正方法】変更
【補正の内容】
【００５０】
１  通信端末装置
１０  制御部（通信エラー検出手段、制御手段）
２０  スキャナ部
３０  画像蓄積部
４０  画像形成部
５０  ＵＩ部（受付手段）
６０  バス
７０  アナログＦＡＸ部（第２の通信手段）
８０  ＩＰ−ＦＡＸ部（第１の通信手段）